(57)【特許請求の範囲】
【請求項１】
負の所定の給電電圧で給電を行う電話交換機の交換に際し、旧交換機側の加入者交換機側端子及び端末回線側端子の間を電気的に接続する１回線あたり２線の旧ジャンパ線を残存させたまま、新交換機側の加入者交換機側端子に断線片を一時的に与えて電気的に遮断させつつ結線した新ジャンパ線を該端末回線側端子に接続するための検査装置であって、
接地される第１の検査端子と、
前記新交換機側の前記端末回線側端子に接続する前記新ジャンパ線の端部に電気的に接続される第２の検査端子と、
前記第１の検査端子及び前記第２の検査端子の間にあって前記給電電圧よりも低い絶対値の閾値電圧を有する電圧障壁部を与えられた内部回路と、を含み、
前記内部回路は、接地に対する前記第２の検査端子の電圧を、
絶対値で前記閾値電圧よりも高い電圧に変化させたときに第１の報知を行う第１報知回路と、
絶対値で前記閾値電圧よりも低い電圧に変化させたときに第２の報知を行う第２報知回路と、を含むことを特徴とする検査装置。
【請求項２】
前記電圧障壁部は電池からなることを特徴とする請求項１記載の検査装置。
【請求項３】
前記第１報知回路及び前記第２報知回路は、前記第１の検査端子と前記第２の検査端子との間において、それぞれ前記電圧障壁部と直列に接続されることを特徴とする請求項２記載の検査装置。
【請求項４】
前記内部回路は、前記第１報知回路及び前記第２報知回路のそれぞれと直列に接続されたスイッチング回路を含み、接地に対する前記第２の検査端子の電圧を、
絶対値で前記閾値電圧よりも高い電圧に変化させたときに、前記第１報知回路から前記第２の検査端子への電流回路を形成させる一方で前記第２報知回路への電流を遮断し、
絶対値で前記閾値電圧よりも低い電圧に変化させたときに、前記第２の検査端子から前記第２報知回路への電流回路を形成させる一方で前記第１報知回路への電流を遮断することを特徴とする請求項３記載の検査装置。
【請求項５】
前記電圧障壁部はツェナーダイオードからなることを特徴とする請求項１記載の検査装置。
【請求項６】
前記内部回路は、少なくとも前記第２報知回路と並列に接続されたスイッチング回路と、駆動電源とを含み、接地に対する前記第２の検査端子の電圧を、
絶対値で前記閾値電圧よりも高い電圧に変化させたときに、前記第１報知回路と前記駆動電源とを接続させ、
絶対値で前記閾値電圧よりも低い電圧に変化させたときに、前記第２報知回路と前記駆動電源とを接続させることを特徴とする請求項５記載の検査装置。
【請求項７】
前記内部回路はフォトカプラを含み、前記フォトカプラの発光部及び受光部はそれぞれ前記スイッチング回路及び前記第１報知回路に与えられることを特徴とする請求項６記載の検査装置。
【請求項８】
前記フォトカプラの発光部は、前記第１の検査端子と前記第２の検査端子との間において、前記電圧障壁部と直列に接続されることを特徴とする請求項７記載の検査装置。
【請求項９】
前記電圧障壁部及び前記発光部を短絡させて、前記第２報知回路に前記駆動電源を接続させてこれの動作確認を行うための動作確認回路を含むことを特徴とする請求項８記載の検査装置。
【請求項１０】
前記発光部に前記駆動電源を与えて、前記第１報知回路の動作確認を行うための動作確認回路を含むことを特徴とする請求項８又は９に記載の検査装置。
【発明の詳細な説明】
【技術分野】
【０００１】
本発明は、電話交換機を旧交換機から新交換機に取り替える際に、加入者回線に繋がる端末回線側端子と新交換機の加入者交換機側端子との間に結線される新ジャンパ線の電気的な接続状態を検査する検査装置に関する。
【背景技術】
【０００２】
電話回線の工事において、稼働中の旧交換機を新交換機に取り替える際に、工事による通話不能の状態を長時間作らないよう、新交換機の結線工事は旧交換機の加入者回線への接続を維持したままで進められる。すなわち、稼働中の旧交換機の加入者交換機側端子（Ｖ側端子）と加入者回線に繋がる端末回線側端子（Ｈ側端子）との間をジャンパ線で接続したまま、新交換機のＶ側端子に新たなジャンパ線の一端部を結線し、他端部をＨ側端子へと結線していく。なお、以下において、前者のジャンパ線を旧ジャンパ線、後者の新たなジャンパ線を新ジャンパ線と称することとする。
【０００３】
新ジャンパ線の結線の作業は、新交換機と旧交換機との短絡による回線故障や混線などを防止するよう、新交換機のＶ側端子と新ジャンパ線とを一時的に電気的に遮断しながら行われる。かかる仮結線作業の後に、新ジャンパ線の接続状態を目視などで確認し、旧交換機の電源を落とす一方で、仮結線されたＶ側端子と新ジャンパ線の電気的な遮断の解除（接続）を行う。ここで、新ジャンパ線の結線作業、接続状態の確認、及び、電気的な遮断の解除は、多数の新ジャンパ線のそれぞれについて行う必要があるため、効率の良い作業ができることを望まれている。
【０００４】
例えば、特許文献１や特許文献２では、結線作業、接続状態の確認、及び、電気的な遮断の解除の各作業の効率を高め得る方法を開示している。詳細には、新交換機のＶ側端子にはバネ接点を有する端子を用い、新ジャンパ線を仮結線するにあたり、バネ接点の間にコンデンサ型の断線片（断線ペグ）を挿入する。この断線片により新ジャンパ線は新交換機から一時的に電気的に遮断される。一方で、コンデンサ型の断線片は、交流に対しては電気的に接続されるから、交流信号を使用して新ジャンパ線の電気的な接続状態を検査できる。検査後、バネ接点から、コンデンサ型の断線片を取り除くだけで、新ジャンパ線と新交換機のＶ側端子とは電気的に接続されるのである。
【先行技術文献】
【特許文献】
【０００５】
【特許文献１】特開平１−１８１３６６号公報
【特許文献２】特開２００５−３３３２１４号公報
【発明の開示】
【発明が解決しようとする課題】
【０００６】
新ジャンパ線の結線作業では、新交換機のＶ側端子に断線片を挿入し、一時的に電気的に遮断されるように複数の新ジャンパ線の一端部を仮結線し、他端部を加入者回線に繋がる端末回線側端子（Ｈ側端子）に接続していく。かかる端末回線側端子（Ｈ側端子）への新ジャンパ線の仮結線にあたり、断線片による電気的な遮断が十分であるかを検査する場合、Ｖ側端子との間に距離があると、Ｈ側端子への新ジャンパ線の端部と、Ｖ側端子との間で抵抗測定による導通テストを行うことは困難である。
【０００７】
ところで、交換機では、１台の端末に向けてＡ線及びＢ線を一対とした加入者回線を介して各端末に電力を供給している。つまり、接地電圧のＢ線に対して、Ａ線に所定の給電電圧（一般的には、負の所定の給電電圧）を印加している。断線片による電気的な遮断が不十分な場合、Ａ線については電圧測定による導通テストを行うことが可能であるが、Ｂ線についてはこれを行うことができない。
【０００８】
本発明はこのような状況に鑑みてなされたものであって、その目的は、電話交換機を旧交換機から新交換機に取り替える際に、加入者回線に繋がる端末回線側端子と新交換機の加入者交換機側端子との間に結線される新ジャンパ線の電気的な接続状態を効率よく検査することのできる検査装置を提供することである。
【課題を解決するための手段】
【０００９】
本発明による検査装置は、負の所定の給電電圧で給電を行う電話交換機の交換に際し、旧交換機側の加入者交換機側端子及び端末回線側端子の間を電気的に接続する１回線あたり２線の旧ジャンパ線を残存させたまま、新交換機側の加入者交換機側端子に断線片を一時的に与えて電気的に遮断させつつ結線した新ジャンパ線を該端末回線側端子に接続するための検査装置であって、接地される第１の検査端子と、前記新交換機側の前記端末回線側端子に接続する前記新ジャンパ線の端部に電気的に接続される第２の検査端子と、前記第１の検査端子及び前記第２の検査端子の間にあって前記給電電圧よりも低い絶対値の閾値電圧を有する電圧障壁部を与えられた内部回路と、を含み、前記内部回路は、接地に対する前記第２の検査端子の電圧を、絶対値で前記閾値電圧よりも高い電圧に変化させたときに第１の報知を行う第１報知回路と、絶対値で前記閾値電圧よりも低い電圧に変化させたときに第２の報知を行う第２報知回路と、を含むことを特徴とする。
【００１０】
かかる発明によれば、第２の検査端子の電圧を、接地に対して絶対値で所定の閾値電圧よりも高い電圧、例えば、新交換機のＡ線に印加される給電電圧などの電圧に変化させたときに、第１の報知が行われる。一方、接地に対して絶対値で所定の閾値電圧よりも低い電圧、例えば、新交換機のＢ線に印加される接地電圧などの電圧に変化させると、第２の報知が行われる。つまり、新ジャンパ線が断線片により電気的に遮断されておらず、新交換機と電気的に接続されている場合には、その接続がＡ線側になされているか、Ｂ線側になされているかによって異なる報知が行われる。つまり、検査端子の電圧に応じて、第１報知回路及び第２報知回路から報知を行わせる回路が選択される。また、例えば、新ジャンパ線が断線片により電気的に遮断されている場合など、第２の検査端子に電圧を印加されない場合には、報知が行われない。よって、報知の種類と有無によって、新ジャンパ線の新交換機に対する電気的な接続状態を効率よく検査できる。
【００１１】
上記した発明において、前記電圧障壁部は電池からなることを特徴としてもよい。かかる発明によれば、特別な素子を用いることなく電圧障壁部を与え得て、内部回路を簡単にできる。
【００１２】
上記した発明において、前記第１報知回路及び前記第２報知回路は、前記第１の検査端子と前記第２の検査端子との間において、それぞれ前記電圧障壁部と直列に接続されることを特徴としてもよい。かかる発明によれば、少なくとも第１又は第２報知回路の動作電源を電圧障壁部に使用された電池により得ることが出来て、内部回路を簡単にできる。
【００１３】
上記した発明において、前記内部回路は、前記第１報知回路及び前記第２報知回路のそれぞれと直列に接続されたスイッチング回路を含み、接地に対する前記第２の検査端子の電圧を、絶対値で前記閾値電圧よりも高い電圧に変化させたときに、前記第１報知回路から前記第２の検査端子への電流回路を形成させる一方で前記第２報知回路への電流を遮断し、絶対値で前記閾値電圧よりも低い電圧に変化させたときに、前記第２の検査端子から前記第２報知回路への電流回路を形成させる一方で前記第１報知回路への電流を遮断することを特徴としてもよい。かかる発明によれば、少なくとも第１又は第２報知回路の動作電源を電話交換機の給電により得ることが出来て、内部回路を簡単にできる。
【００１４】
上記した発明において、前記電圧障壁部はツェナーダイオードからなることを特徴としてもよい。かかる発明によれば、単一の素子で電圧障壁部を与え得て、内部回路を簡単にできる。
【００１５】
上記した発明において、前記内部回路は、少なくとも前記第２報知回路と並列に接続されたスイッチング回路と、駆動電源とを含み、接地に対する前記第２の検査端子の電圧を、絶対値で前記閾値電圧よりも高い電圧に変化させたときに、前記第１報知回路と前記駆動電源とを接続させ、絶対値で前記閾値電圧よりも低い電圧に変化させたときに、前記第２報知回路と前記駆動電源とを接続させることを特徴としてもよい。かかる発明によれば、
第１又は第２報知回路の動作電源を駆動電源によるので、電話交換機の給電によらず、動作信頼性を高め得る。
【００１６】
上記した発明において、前記内部回路はフォトカプラを含み、前記フォトカプラの発光部及び受光部はそれぞれ前記スイッチング回路及び前記第１報知回路に与えられることを特徴としてもよい。かかる発明によれば、内部回路を簡単にできる。
【００１７】
上記した発明において、前記フォトカプラの発光部は、前記第１の検査端子と前記第２の検査端子との間において、前記電圧障壁部と直列に接続されることを特徴としてもよい。かかる発明によれば、内部回路を簡単にできる。
【００１８】
上記した発明において、前記電圧障壁部及び前記発光部を短絡させて、前記第２報知回路に前記駆動電源を接続させてこれの動作確認を行うための動作確認回路を含むことを特徴としてもよい。かかる発明によれば、動作信頼性を高め得る。
【００１９】
上記した発明において、前記発光部に前記駆動電源を与えて、前記第１報知回路の動作確認を行うための動作確認回路を含むことを特徴としてもよい。かかる発明によれば、動作信頼性を高め得る。
【図面の簡単な説明】
【００２０】
【図１】本発明の検査装置の使用例を示す図である。
【図２】本発明の検査装置の構成を示すブロック図である。
【図３】本発明の検査装置の要部の回路図である。
【図４】本発明の検査装置の外観を示す斜視図である。
【図５】本発明の検査装置の検査状態を示す図である。
【図６】本発明の他の検査装置の要部の回路図である。
【図７】本発明の他の検査装置の検査状態を示す図である。
【図８】本発明の他の検査装置の動作確認の状態を示す図である。
【発明を実施するための形態】
【００２１】
まず、加入者回線と接続された電話交換機を新たな電話交換機に取り替える作業について、図１を用いて説明する。
【００２２】
図１に示すように、既設の旧交換機５０は、局内回線５０ａにて加入者交換機側端子盤（旧Ｖ側端子盤）５１に接続されている。更に、旧Ｖ側端子盤５１のそれぞれの端子には、旧ジャンパ線５２の端部が接続され、引き延ばされて、他端部には端末回線側端子盤（Ｈ側端子盤）５３の端子が接続されている。Ｈ側端子盤の端子は、それぞれ加入者回線５４に接続されている。
【００２３】
かかる状態から、新設する新交換機３０は、局内回線３０ａによって試験弾器として図示しないバネ接点を有する新設の加入者交換機側端子盤（新Ｖ側端子盤）３１に接続される。新Ｖ側端子盤３１の端子には新ジャンパ線３２の一端部が結線される。このとき、断線片３３を一時的にバネ接点へ挿入させて、新ジャンパ線３２は新交換機３０から電気的に遮断されるようにして仮結線される。
【００２４】
新ジャンパ線３２は１回線にＡ線及びＢ線の２線を有する。新交換機３０は、加入者回線５４を介して図示しない電話端末に電力を供給するため、Ａ線に給電電圧、Ｂ線に接地電圧をそれぞれ印加されるように、新Ｖ側端子盤３１の端子に結線される。ここで、新ジャンパ線３２は断線片３３の挿入状態などによって、
（ａ）電気的に遮断されている場合、
（ｂ）所定の給電電圧を印加されている場合、
（ｃ）接地されている場合、
の３つの電圧状態を取り得る。後述する本実施例としての検査装置は、この電圧状態に基づいて、新ジャンパ線３２の新交換機３０への電気的な接続状態を検査できる。かかる検査結果によって、新交換機３０に対して電気的に遮断されていることを確認し、新ジャンパ線３２をＨ側端子盤５３に接続する。
【００２５】
［実施例１］
次に、本発明による１つの実施例の検査装置について図２乃至図４を参照しつつ詳細を説明する。
【００２６】
図２に示すように、検査装置１は、適宜、接地されて使用される接地端子６と、検査対象である新ジャンパ線３２の被検査端子に接触させる検査端子７の２つの端子を有し、これらの間に検査回路２を有する。接地端子６及び検査端子７には、例えば、テスタ棒や鰐口クリップなどの検査対象に電気的に接続させるための接触端子用の部材が取り付けられる。
【００２７】
検査回路２は、新交換機３０の給電電圧よりも低い絶対値の内部電圧を有する電池３ａ（図３参照）で構成される電圧障壁部３を含む。第１報知回路４は、絶対値で電圧障壁部３による内部電圧を閾値電圧として、この閾値電圧よりも高い電圧の被検査端子に検査端子７を電気的に接続させて、接地に対する電圧を変化させたときに第１の報知を行う。また、第２報知回路５は、絶対値で閾値電圧よりも低い電圧の被検査端子に検査端子７を電気的に接続させて、接地に対する電圧を変化させたときに第２の報知を行う。
【００２８】
より詳細には、図３に示すように、検査回路２は整流回路８を含む。整流回路８は、整流素子として互いに逆極性で並列に接続されたダイオード１６及び１７を含む。第１のダイオード１６は検査端子７にカソードを向け、第２のダイオード１７は検査端子７にアノードを向けて互いに並列に接続され、それぞれ第１報知回路４及び第２報知回路５と直列に接続されている。つまり、整流回路８は、接地端子６と検査端子７との間で検査回路２に与えられる電流の向きに応じて、それぞれ直列に接続された第１報知回路４及び第２報知回路５から一方を選択する機能を有するスイッチング回路である。
【００２９】
第１報知回路４は、抵抗２１に接続され検査端子７側にカソードを向けダイオード１６と順方向に接続された青色ＬＥＤ１１と、これと並列に接続される抵抗２２、２３に接続されたメカニカルブザー１３とを含む。つまり、第１報知回路４に、第１報知回路４から検査端子７に向かって流れる電流を与えた場合に、すなわち第１報知回路４から検査端子７への電流回路を形成させた場合に、青色ＬＥＤ１１の発光と、メカニカルブザー１３の音の発生とを同時に得ることができる。
【００３０】
さらに、検査端子７側にアノードを向けたツェナーダイオード２５が抵抗２２及びメカニカルブザー１３に対して並列に、抵抗２３に対しては直列に接続される。つまり、ツェナーダイオード２５によって定電圧回路が形成され、第１報知回路４への所定の値を越える電圧の印加を防止できる。本実施例においては１２Ｖの降伏電圧特性を有するツェナーダイオードを使用する。
【００３１】
第２報知回路５は、抵抗２４に接続され検査端子７側にアノードを向けダイオード１７と順方向に接続された赤色ＬＥＤ１２と、電子ブザー１４とが並列に接続されている。つまり、第２報知回路５に、検査端子７から第２報知回路５に向かって流れる電流を与えた場合に、赤色ＬＥＤ１２の発光と、電子ブザー１４の音の発生とを同時に得ることができる。
【００３２】
電池３ａは、検査端子７側に負極を向けて、第１報知回路４及び第２報知回路５に接続されている。電池３ａは、上記したように、新交換機３０に印加される所定の給電電圧より絶対値の低い内部電圧を有する。本実施例において、所定の給電電圧は対地電圧で−４８Ｖであり、電池３ａによる内部電圧は９Ｖである。
【００３３】
図４に示すように、検査装置１の筐体１０には、外部から青色ＬＥＤ１１及び赤色ＬＥＤ１２を視認できるように、さらに、外部からメカニカルブザー１３及び電子ブザー１４の発生する音を聞くことができるように、貫通孔などが設けられてそれぞれのＬＥＤ及びブザーが取り付けられている。さらに、筐体外部に延びる接地端子６及び検査端子７は、筐体１０の内部の検査回路２に接続されている。なお、検査装置１は図示しない電源スイッチを有し、使用中以外には電池３ａを検査回路２に接続しない。
【００３４】
次に、検査装置１の使用方法及び検査回路２の動作について、図１、図３及び図５を用いて詳細を説明する。
【００３５】
図１を参照すると、検査装置１は、新Ｖ側端子盤３１に断線片３３を挿入し、一時的に電気的に遮断されるように複数の新ジャンパ線３２の一端部を接続した状態で、且つ、新ジャンパ線３２のＨ側端子盤５３への接続に先だって使用される。
【００３６】
まず、作業者は検査装置１の図示しない電源スイッチを入れる。そして、接地端子６をアースに電気的に接続させた状態（接地状態）で、新ジャンパ線３２のＨ側端子盤５３側の未接続の端部に対して検査端子７を接触させ、電気的に接続させて検査を行う。なお、新ジャンパ線３２はＡ線及びＢ線の２線を有するが、検査装置１による検査はＡ線とＢ線に対して別々に行う。
【００３７】
図５（ａ）に示すように、新ジャンパ線３２が、断線片３３により新交換機３０に対して電気的に遮断されている場合、検査回路２に電圧は印加されない。そのため、第１報知回路４及び第２報知回路５はともに電流の流れが形成されることなく、報知を行わない。
【００３８】
図５（ｂ）に示すように、新ジャンパ線３２が新交換機３０に電気的に接続されて所定の給電電圧を印加されている場合、検査回路２には給電電圧と電池３ａによる内部電圧とを合成した電圧が印加される。電池３ａの電圧は給電電圧より絶対値が小さく、向きが逆である。従って、合成電圧により検査端子７に負の電圧が印加され、整流回路８によって第１報知回路４に電流の流れが形成される。つまり、検査端子７の電圧に応じて第１報知回路４が選択される。
【００３９】
図３を併せて参照すると、整流回路８の第１のダイオード１６を通して、第１報知回路４から検査端子７へ向けて電流が流れる。これにより青色ＬＥＤ１１が発光し、また、メカニカルブザー１３が音を発生して第１の報知を行う。これにより、検査端子７への負電圧の印加、すなわち、新ジャンパ線３２の新交換機３０に対する電気的な接続が給電電圧の印加となっていることを作業者に対して視覚的及び聴覚的に明確に報知させる。このとき、第２報知回路５への電流は、整流回路８の第２のダイオード１７によって遮断されている。
【００４０】
次に、図５（ｃ）に示すように、新ジャンパ線３２が新交換機３０に電気的に接続されて接地電圧となっている場合、接地電圧はほぼゼロであるので、検査回路２には電池３ａによる内部電圧が印加される。電池３ａは検査端子７に負極を向けて接続されているから、検査回路２の外部から正の電圧が検査端子７に印加される。このため、整流回路８により第２報知回路５に電流の流れが形成される。つまり、検査端子７の電圧に応じて第２報知回路５が選択される。
【００４１】
図３を併せて参照すると、整流回路８の第２のダイオード１７を通して、検査端子７から第２報知回路５へ向けて電流が流れる。これにより赤色ＬＥＤ１２が発光し、また、電子ブザー１４が音を発生する。つまり、第１の報知とは異なる色の発光及び異なる音の発生による第２の報知が行われる。これにより、検査端子７への正電圧の印加、すなわち、新ジャンパ線３２の新交換機３０に対する電気的な接続が接地電圧の印加となったことを作業者に対して視覚的及び聴覚的に明確に報知させる。このとき、第１報知回路４への電流は、整流回路８の第１のダイオード１６によって遮断されている。
【００４２】
以上のように、整流回路８は、第１報知回路４又は第２報知回路５のいずれか１つにのみ電流を与えて、他方の報知回路の電流を遮断するスイッチング回路として機能する。これにより、電流の遮断された報知回路に過大な負荷が与えられることなく、検査装置１の故障確率を抑制し得る。
【００４３】
以上のように、検査装置１は、電圧障壁部３の内部電圧を閾値電圧として、検査端子７に印加される電圧の絶対値と閾値電圧の値との関係に応じた報知を行うことができる。つまり、検査装置１によれば、検査端子７を接触させるだけで、新ジャンパ線３２の新交換機３０に対する電気的な遮断がなされているかを、また、電気的に接続されている場合には新交換機３０から給電電圧と接地電圧のどちらの電圧を印加されているかを、報知の種類とその有無によって一度に検査できる。つまり、新交換機３０に対する新ジャンパ線３２の電気的な接続状態を効率よく検査できるのである。
【００４４】
このような検査装置１による検査を、新ジャンパ線３２のＡ線及びＢ線のそれぞれに対して行い、さらに、新Ｖ側端子盤３１に結線されている他の多数のジャンパ線についても行う。
【００４５】
なお、検査装置１の検査端子７を、例えば、新ジャンパ線３２の皮むきなどの端部処理に使用するニッパなどの工具に接続させて、工具を使用中にジャンパ線３２と導通できるようにしてもよい。これによれば、Ｈ側端子盤５３への接続作業に先だって行う新ジャンパ線３２の端部処理の作業中に、上記した検査を実施できる。つまり、検査工程を増やすことなく、新ジャンパ線３２の新交換機３０への電気的な接続状態をより効率よく検査することができる。
【００４６】
［実施例２］
次に、本発明による他の１つの実施例の検査装置について図２及び図６を参照しつつ詳細を説明する。
【００４７】
図６に示すように、検査回路２’は、新交換機３０に印加される所定の給電電圧よりも低い絶対値の閾値電圧を有する電圧障壁部３’を含む。電圧障壁部３’は検査端子７側にアノードを向けたツェナーダイオード３ｂであり、その降伏電圧によって閾値電圧が設定される。給電電圧は一般的な対地電圧で−４８Ｖであり、閾値電圧は４．７Ｖである。第１報知回路４’は、絶対値で電圧障壁部３’による閾値電圧よりも高い電圧の被検査端子に検査端子７を電気的に接続させたときに第１の報知を行うことができる。また、第２報知回路５’は、絶対値で電圧障壁部３’による閾値電圧よりも低い電圧の被検査端子に検査端子７を電気的に接続させたときに第２の報知を行うことができる。すなわち、図２に示す実施例１の電圧障壁部３に実施例２の電圧障壁部３’が、同様に、第１報知回路３に３’が、第２報知回路５に５’が対応する。
【００４８】
より詳細には、図６に示すように、検査回路２’は、第１報知回路４’及び第２報知回路５’を互いに並列に配置し、そのそれぞれに給電する駆動電源６１と、ツェナーダイオード３ｂを含むスイッチング回路６０と、からなる。スイッチング回路６０は、接地端子６と検査端子７との間で第２報知回路に対して並列に接続されている。スイッチング回路６０では、接地端子６及び検査端子７の間において電圧障壁部３’のツェナーダイオード３ｂと発光素子６４ａとが直列に接続される。
【００４９】
第１報知回路４’は、発光素子６４ａと組合わされてフォトカプラを構成するフォトトランジスタ６４ｂを含み、実施例１と同様に、青色ＬＥＤ６５と、メカニカルブザー６７とを含む。これにより、第１報知回路４’は、フォトトランジスタ６４ｂによる受光のあった場合にのみ駆動電源６１と接続されて第１の報知を行うことができる。
【００５０】
第２報知回路５’は、内部スイッチとしてのトランジスタＴＲ３を含み、実施例１と同様に、赤色ＬＥＤ６６と電子ブザー６８とを含む。第２報知回路５’は、トランジスタＴＲ３によって、検査端子７から駆動電源６１を介して接地端子６へ向かう電流の形成のあったときに駆動電源６１と接続されるよう、スイッチング回路６０と接続されて、このとき第２の報知を行うことができる。
【００５１】
さらに、検査回路２’は、検査装置１’の単体で第１報知回路４’及び第２報知回路５’の動作を確認するための第１動作確認スイッチ７１及び第２動作確認スイッチ７２を有している。第１動作確認スイッチ７１は、ツェナーダイオード６３を避けて発光素子６４ａと駆動電源６１とを接続させる回路を形成させるスイッチである。第２動作確認スイッチ７２は、接地端子６と検査端子７とを接続させて、ツェナーダイオード３ｂ及び発光素子６４ａを短絡させる回路を形成させるスイッチである。
【００５２】
次に、新ジャンパ線３２の新交換機３０に対する電気的な接続状態の検査を行う場合における検査回路２’の動作について、図１、図６及び図７を参照しつつ、その詳細を説明する。なお、使用方法は実施例１と同様であるので説明は省略する。
【００５３】
新ジャンパ線３２が、断線片３３により新交換機３０に対して電気的に遮断されている場合、検査回路２’に電圧は印加されず、スイッチング回路６０に電流の流れは形成されない。そのため、第１報知回路４’及び第２報知回路５’はともに電流の流れを形成されることなく、報知を行わない。
【００５４】
図７（ａ）に示すように、新ジャンパ線３２が新交換機３０に電気的に接続されて所定の給電電圧を印加されている場合、つまり、接地に対する検査端子７の電圧を絶対値で閾値電圧よりも高い電圧に変化させたとき、ツェナーダイオード３ｂにはその降伏電圧を越えた電圧が印加される。よって、スイッチング回路６０の発光素子６４ａを通過する接地端子６から検査端子７に向けた電流の流れが形成され、これによって発光素子６４ａを発光させる。かかる発光による光を受光したフォトトランジスタ６４ｂにより、第１報知回路４’と駆動電源６１とが接続される。つまり、駆動電源６１と第１報知回路４’を通過する電流の流れが形成されて、これによって、青色ＬＥＤ６５の発光及びメカニカルブザー６７の音の発生による第１の報知が行われる。
【００５５】
図７（ｂ）に示すように、新ジャンパ線３２が新交換機３０に電気的に接続されて接地電圧を印加されている場合、つまり、接地に対する検査端子７の電圧を絶対値で閾値電圧よりも低い電圧に変化させたとき、第２報知回路５’から接地端子６へ向けてスイッチング回路６０を通過する電流の流れが形成されて、これにより第２報知回路５’と駆動電源６１とが接続される。つまり、駆動電源６１と第２報知回路５’を通過する電流の流れが形成されて、これによって、赤色ＬＥＤ６６の発光及び電子ブザー６８の音の発生による第２の報知が行われる。
【００５６】
以上のように、検査装置１’によっても実施例１と同様に、検査端子７に印加される電圧に応じた報知を行うことができる。つまり、報知の種類と有無によって、新ジャンパ線３２の新交換機３０に対する電気的な接続状態を効率よく検査できる。
【００５７】
また、第１報知回路４’は駆動電源６１の電圧によって報知を行うため、フォトカプラによって、所定の給電電圧を第１報知回路４’に印加させないようにした。すなわち、接地端子６と検査端子７との間において、フォトカプラの発光素子６４ａをツェナーダイオード３ｂと直列に接続する簡単な構成で第１報知回路４’を電圧障壁部３’と切り離した。これによって、第１報知回路４’を保護して、検査装置１’の故障確率を低減させることが出来る。
【００５８】
次に、第１報知回路４’及び第２報知回路５’の動作確認を行う場合における検査回路２’の動作について図６及び図８を用いて説明する。なお、動作確認は検査端子６及び７をどこにも接続させずに検査装置１’単体で行う。
【００５９】
図８（ａ）に図６を併せて参照すると、検査装置１’において、第１動作確認スイッチ７１をＯＮにして、発光素子６４ａと駆動電源６１とを接続させるように回路を形成させた場合、発光素子６４ａに駆動電源６１を与えることによって発光素子６４ａが発光する。この発光を受光したフォトトランジスタ６４ｂにより、駆動電源６１が第１報知回路４’に接続されて、上記と同様に、青色ＬＥＤ６５の発光及びメカニカルブザー６７の音の発生による第１の報知が行われる。つまり、第１報知回路４’の動作確認を行うことができる。
【００６０】
図８（ｂ）に図６を併せて参照すると、検査装置１’において、第２動作確認スイッチ７２をＯＮにして、接地端子６と検査端子７とを接続させて、ツェナーダイオード３ｂ及び発光素子６４ａを短絡させる回路を形成させた場合、第２報知回路５’から接地端子６へ向けてスイッチング回路６０を通過する電流の流れが形成される。これにより第２報知回路５’と駆動電源６１とが接続され、上記と同様に赤色ＬＥＤ６６の発光及び電子ブザー６８の音の発生による第２の報知が行われる。つまり、第２報知回路５’の動作確認を行うことができる。
【００６１】
本実施例においては、駆動電源６１により第１報知回路４’を駆動させている。従って、このように、検査装置１’は単体で動作確認を行うことができる。
【００６２】
以上、本発明による代表的実施例及びこれに基づく変形例を説明したが、本発明は必ずしもこれらに限定されるものではなく、当業者であれば、添付した請求項の範囲を逸脱することなく種々の代替実施例及び改変例を見出すことができる。
【符号の説明】
【００６３】
１、１’  検査装置
２、２’  検査回路
３、３’  電圧障壁部
４、４’  第１報知回路
５、５’  第２報知回路
６        接地端子
７        検査端子
８        整流回路
３０      新交換機
３１      新Ｖ側端子盤
３２      新ジャンパ線
３３      断線片
６０      スイッチング回路
６１      駆動電源
【図１】
0005490663.tif 000002
【図２】
0005490663.tif 000003
【図３】
0005490663.tif 000004
【図５】
0005490663.tif 000005
【図６】
0005490663.tif 000006
【図７】
0005490663.tif 000007
【図８】
0005490663.tif 000008
【図４】
0005490663.tif 000009